(57)【特許請求の範囲】
【請求項１】
複数個の戸パネル（Ｐ１・Ｐ２・Ｐ３）のそれぞれが、ガイドレール（１）に沿って移行するランナー（２・３）で吊持されており、各戸パネル（Ｐ１・Ｐ２・Ｐ３）が、ガイドレール（１）の内部に収容した連動ユニットを介して連動開閉可能に設けてある吊車型の連動引戸であって、
連動ユニットが組み付けられる戸パネル（Ｐ２）のランナー（３）が、戸パネル（Ｐ２）に設けた連結部（２１）に着脱可能に装着される一対のランナー本体（３Ａ）と、各ランナー本体（３Ａ）に対して連結される一対のプーリーホルダー（３Ｂ）とで構成されており、
連動ユニットが、一対のプーリーホルダー（３Ｂ・３Ｂ）で回転自在に軸支されるプーリー（４０・４０）と、両プーリー（４０・４０）に巻回される伝動体（４１）と、両プーリーホルダー（３Ｂ・３Ｂ）を連結するフレーム（４２）とを含み、
ランナー本体（３Ａ）およびプーリーホルダー（３Ｂ）のそれぞれに、ガイドレール（１）で移行案内されるローラー（２５・３５）が設けられており、
連動ユニットが、一対のプーリーホルダー（３Ｂ・３Ｂ）でガイドレール（１）の内部に吊り下げ支持されていることを特徴とする吊車型の連動引戸。
【請求項２】
ランナー本体（３Ａ）とプーリーホルダー（３Ｂ）とに、互いに係合する連結突起（６１）と連結凹部（６２）とが設けられており、
ランナー本体（３Ａ）に設けた連結突起（６１）または連結凹部（６２）が、プーリーホルダー（３Ｂ）へ向かって突出されており、
ランナー本体（３Ａ）が戸パネル（Ｐ２）の連結部（２１）に装着されるのに先行して、連結突起（６１）と連結凹部（６２）とが係合してランナー本体（３Ａ）に対してプーリーホルダー（３Ｂ）を連結することができるように構成されている請求項１記載の吊車型の連動引戸。
【請求項３】
ガイドレール（１）に、ランナー本体（３Ａ）およびプーリーホルダー（３Ｂ）を移行案内する上ガイド溝（５６）と、連動ユニットを収容する連動溝（５７）と、単一構造のランナー（２）を移行案内する下ガイド溝（５８）とが設けられており、
上ガイド溝（５６）の下部に連動溝（５７）が設けられ、連動溝（５７）の少なくとも前後いずれか一方に下ガイド溝（５８）を設けて、ガイドレール（１）の断面がＬ字状ないし凸字状に形成してある請求項１又は２記載の吊車型の連動引戸。
【請求項４】
単一構造のランナー（２）が、ランナーブロック（８）と、複数のローラー（９）を含んで構成されており、
伝動体（４１）と単一構造のランナー（２）とを連結する連結具（４３）が、ランナーブロック（８）の側端に固定される連結枠部（５１）と、伝動体（４１）に固定される受動部（５２）と、これら両者（５１・５２）を繋ぐベース部（５３）とを備えており、
ベース部（５３）が、ガイドレール（１）と戸パネル（Ｐ１・Ｐ２・Ｐ３）の上端との間の隙間に配置してある請求項３記載の吊車型の連動引戸。
【請求項５】
伝動体（４１）と単一構造のランナー（２）とを連結する連結具（４３）が、伝動体（４１）に固定される受動部（５２）と、単一構造のランナー（２）のランナー軸（１３）と係合する連結アーム部（５４）とを備えており、
連結アーム部（５４）の左右に、右勝手用の係合溝（５５Ｒ）と左勝手用の係合溝（５５Ｌ）とが設けてある請求項３記載の吊車型の連動引戸。
【請求項６】
伝動体（４１）と単一構造のランナー（２）とを連結する連結具（４３）のベース部（５３）に、伝動体（４１）に固定される受動部（５２）と、ランナー軸（１３）に対して係脱できる連結溝（６７）とが設けられており、
連結溝（６７）は、ベース部（５３）の一側端で開口する導入溝（６８）と、導入溝（６８）の内奥端に連続して設けられてランナー軸（１３）と係合する係合溝（６９）とで構成されており、
導入溝（６８）と係合溝（６９）の隣接部分に、ランナー軸（１３）が係合溝（６９）から導入溝（６８）へ抜け出るのを規制する隘路部（７０）が設けられており、
単一構造のランナー（２）で支持された戸パネル（Ｐ１・Ｐ３）が急開閉されて、隘路部（７０）に過剰な外力が作用する状態において、連結溝（６７）を介して対向する一対のベース壁（７２）の少なくともいずれか一方が弾性変形して、ランナー軸（１３）と連結溝（６７）との連結状態を解除できる請求項３記載の吊車型の連動引戸。
【請求項７】
戸パネル（Ｐ２）の下端面に設けた振止め溝（７）が、床面の複数位置に設けた下ガイド（４）の振止めローラー（６）で振止め支持されており、
前記戸パネル（Ｐ２）に隣接する戸パネル（Ｐ１・Ｐ３）の下端面に設けた振止め溝（７）に、前記戸パネル（Ｐ２）に設けた振止めローラー（６）を係合して振止め支持してある請求項１乃至６のいずれかに記載の吊車型の連動引戸。  
【発明の詳細な説明】
【技術分野】
【０００１】
本発明は、複数個の戸パネルを連動して開閉できる吊車型の連動引戸に関する。戸パネルを連動して開閉する連動ユニットは、ワイヤーやベルトなどの無端伝動体を伝動要素にして構成してある。
【背景技術】
【０００２】
吊車型の連動引戸は、たとえば特許文献１に開示されている。そこでは、ガイドレールに沿って走行するランナーで各戸パネルを吊持し、ガイドレールと戸パネルとの間に連動ユニットを配置している。各ランナーは戸パネルの上隅に設けた装填凹部に、着脱自在に嵌め込み装着してある。連動ユニットは、３個の戸パネルのうち前後中央の戸パネルと同行移動するユニットベースと、ユニットベースの左右両端寄りに配置した前後一対のプーリと、各プーリに巻回したベルトと、ベルトの直線移行部分に固定される前後一対の伝達体などで構成してある。伝達体には、隣接する戸パネルのランナーのランナー軸を係合捕捉する止着部材が設けてある。
【０００３】
同様の連動引戸は特許文献２にも見ることができる。そこでは、ユニットベースの両側に溝状の切欠を形成し、切欠の側端開口の前後と、切欠の奥端との３個所にプーリを配置することにより、切欠の周縁に沿ってベルトを移行案内している。このように、切欠の周縁に沿ってベルトを移行案内すると、ランナー軸を避けながらベルトを反転案内して、ベルトの直線移行部分の長さを大きくでき、戸パネルを閉じた状態における各戸パネルの重なり寸法を小さくし、全開時の開口寸法を大きくできる。
【０００４】
特許文献２の連動引戸の施工時には、ガイドレールに対してランナーとユニットベースを組み付けたのち、ランナーに後面側の戸パネルを吊り込む。また、前後中央の戸パネルの上端面をユニットベースに接当した状態で、戸パネルをランナーに吊り込む。次ぎに、後面側の戸パネルと同様にして前側の戸パネルをランナーに吊り込む。最後に、前後中央の戸パネルと隣接する前後のランナーのランナー軸を、連動ユニットの前後の伝達体に係合する。
【先行技術文献】
【特許文献】
【０００５】
【特許文献１】特開２００７−２７０４４１号公報（段落番号００１０、図１）
【特許文献２】特開２００４−２０４４３７号公報（段落番号００９４、図１）
【発明の概要】
【発明が解決しようとする課題】
【０００６】
特許文献１の連動引戸によれば、右勝手の引き戸構造と、左勝手の引き戸構造に対してユニットベースを共通して使用することができる。しかし、前後中央の戸パネルを支持するランナーのランナー軸の間に、プーリーおよびベルトを配置するので、ベルトの直線移行部分の長さが短くなるのを避けられない。
【０００７】
その点、特許文献２の連動引戸によれば、ベルトの直線移行部分の全長を大きくできるので、戸パネルを閉じた状態における各戸パネルの重なり寸法を小さくできる。さらに、全開時の開口寸法も大きくできる。しかし、合計６個のガイドプーリーでベルトを反転案内するので、連動ユニットの構造が複雑になり、その分だけ全体コストが高く付くのを避けられない。また、ガイドレールと戸パネルとの間に連動ユニットを配置するので、ガイドレールと戸パネルとの間に大きな隙間を確保する必要があり、この隙間から光や音が漏れるのを避けられない。たとえば、特許文献１のように、ガイドレールの前後壁に先の隙間を塞ぐガード壁を設けると、隙間から光や音が漏れるのを防止できるが、ガイドレールが大形化しそのコストが嵩む。
【０００８】
先に説明したように、特許文献２の連動引戸においては、ガイドレールに対してランナーとユニットベースを組み付けたのち、各戸パネルをランナーに吊り込み、その間にユニットベースを対応する左右一対のランナー軸で挟持固定する。そのため、各ランナーおよび連動ユニットが、ガイドレールに沿って遊動しやすい状態で各戸パネルを吊り込む必要があり、施工に多くの手間が掛かるのを避けられない。
【０００９】
本発明の目的は、連動ユニットの構造を簡素化してそのコストを削減でき、さらに全閉状態における各戸パネルの重なり寸法を小さくできる連動引戸を提供することにある。
本発明の目的は、連動ユニットの構造および機器配置を好適化して、ガイドレールと戸パネルとの間に大きな隙間が生じるのを回避でき、先の隙間から音や光が漏れるのを防止できる連動引戸を提供することにある。
本発明の目的は、連動ユニットとランナーとの関係構造を好適化して、各戸パネルの吊り込みや、戸パネルと連動ユニットとの連結などの一連の作業をより少ない手間で簡便に行なえる連動引戸を提供することにある。
【課題を解決するための手段】
【００１０】
本発明に係る連動引戸は吊車型の連動引戸であって、複数個の戸パネルＰ１・Ｐ２・Ｐ３のそれぞれが、ガイドレール１に沿って移行するランナー２・３で吊持されている。各戸パネルＰ１・Ｐ２・Ｐ３は、ガイドレール１の内部に収容した連動ユニットを介して連動開閉可能に設ける。図１に示すように、連動ユニットが組み付けられる戸パネルＰ２のランナー３は、戸パネルＰ２に設けた連結部２１に着脱可能に装着される一対のランナー本体３Ａと、各ランナー本体３Ａに対して連結される一対のプーリーホルダー３Ｂとで構成する。図６に示すように、連動ユニットは、一対のプーリーホルダー３Ｂ・３Ｂで回転自在に軸支されるプーリー４０・４０と、両プーリー４０・４０に巻回される伝動体４１と、両プーリーホルダー３Ｂ・３Ｂを連結するフレーム４２とを含む。ランナー本体３Ａおよびプーリーホルダー３Ｂのそれぞれに、ガイドレール１で移行案内されるローラー２５・３５を設ける。連動ユニットは、一対のプーリーホルダー３Ｂ・３Ｂでガイドレール１の内部に吊り下げ支持する（図５参照）。
【００１３】
ランナー本体３Ａとプーリーホルダー３Ｂとに、互いに係合する連結突起６１と連結凹部６２とを設ける。ランナー本体３Ａに設けた連結突起６１または連結凹部６２を、プーリーホルダー３Ｂへ向かって突出させる。ランナー本体３Ａが戸パネルＰ２の連結部２１に装着されるのに先行して、連結突起６１と連結凹部６２とを係合させてランナー本体３Ａとプーリーホルダー３Ｂを連結する。
【００１４】
図５に示すように、ガイドレール１に、ランナー本体３Ａおよびプーリーホルダー３Ｂを移行案内する上ガイド溝５６と、連動ユニットを収容する連動溝５７と、単一構造のランナー２を移行案内する下ガイド溝５８とを設ける。上ガイド溝５６の下部に連動溝５７を設け、連動溝５７の少なくとも前後いずれか一方に下ガイド溝５８を設けて、ガイドレール１の断面をＬ字状ないし凸字状に形成する。
【００１５】
単一構造のランナー２は、ランナーブロック８と、複数のローラー９を含んで構成する。伝動体４１と単一構造のランナー２とを連結する連結具４３は、ランナーブロック８の側端に固定される連結枠部５１と、伝動体４１に固定される受動部５２と、これら両者５１・５２を繋ぐベース部５３とを備えている。ベース部５３は、ガイドレール１と戸パネルＰ１・Ｐ２・Ｐ３の上端との間の隙間に配置してある（図５参照）。
【００１６】
伝動体４１と単一構造のランナー２とを連結する連結具４３は、伝動体４１に固定される受動部５２と、単一構造のランナー２のランナー軸１３と係合する連結アーム部５４とを備えている。図１４および図１５に示すように、連結アーム部５４の左右に、右勝手用の係合溝５５Ｒと左勝手用の係合溝５５Ｌとを設ける。
【００１７】
図１７に示すように、伝動体４１と単一構造のランナー２とを連結する連結具４３のベース部５３に、伝動体４１に固定される受動部５２と、ランナー軸１３に対して係脱できる連結溝６７とを設ける。連結溝６７は、ベース部５３の一側端で開口する導入溝６８と、導入溝６８の内奥端に連続して設けられてランナー軸１３と係合する係合溝６９とで構成する。導入溝６８と係合溝６９の隣接部分に、ランナー軸１３が係合溝６９から導入溝６８へ抜け出るのを規制する隘路部７０を設ける。単一構造のランナー２で支持された戸パネルＰ１・Ｐ３が急開閉されて、隘路部７０に過剰な外力が作用する状態において、連結溝６７を介して対向する一対のベース壁７２の少なくともいずれか一方が弾性変形して、ランナー軸１３と連結溝６７との連結状態を解除できるようにする。
【００１８】
図５に示すように、戸パネルＰ２の下端面に設けた振止め溝７を、床面の複数位置に設けた下ガイド４の振止めローラー６で振止め支持する。戸パネルＰ２に隣接する戸パネルＰ１・Ｐ３の下端面に設けた振止め溝７に、前記戸パネルＰ２に設けた振止めローラー６を係合して振止め支持する。
【発明の効果】
【００１９】
本発明では、連動ユニットを支持する戸パネルＰ２のランナー３を、戸パネルＰ２の連結部２１に装着されるランナー本体３Ａと、同ランナー本体３Ａに対して着脱可能に連結されるプーリーホルダー３Ｂとで分割構造のランナーとして構成した。また、連動ユニットをプーリーホルダー３Ｂで軸支されるプーリー４０と、伝動体４１と、プーリーホルダー３Ｂ・３Ｂに固定されるフレーム４２などで構成した。
【００２０】
上記のように、ランナー３を構成するプーリーホルダー３Ｂでプーリー４０を軸支し、フレーム４２でプーリー４０の軸間距離を規定すると、従来の連動ユニットにおいて不可欠であった、プーリー４０を軸支するためのベース（基板部）を省略できる。さらに、伝動体４１を反転案内するプーリー構造も簡素化でき、全体として連動ユニットの構造を簡素化してそのコストを削減できる。また、ランナー３を構成するプーリーホルダー３Ｂでプーリー４０を軸支するので、プーリー４０を戸パネルＰ２の側端寄りに配置して、その分だけ伝動体４１の直線移行距離を大きくできる。したがって、全閉状態における各戸パネルＰ１・Ｐ２・Ｐ３の重なり寸法Ｄ（図３参照）を、戸車型の連動引戸における各戸パネルの重なり寸法と同じ寸法にまで小さくでき、全開時の開口寸法を大きくできる。
【００２１】
プーリーホルダー３Ｂにプーリー４０および伝動体４１を組付け、プーリーホルダー３Ｂをフレーム４２で連結しておくことにより、連動ユニットをユニット部品化してその組付けの手間を軽減できる。さらに、ランナー本体３Ａとプーリーホルダー３Ｂとを差込み連結し、ランナー本体３Ａを戸パネルＰ２の連結部２１に差込み連結するだけで戸パネルＰ２を簡単に吊り込むことができる。したがって、各戸パネルＰ１・Ｐ２・Ｐ３の吊り込みや、戸パネルＰ２と連動ユニットとの連結などの一連の作業をより少ない手間で簡便に行なえる連動引戸を提供できる。ランナー３や連動ユニットのメンテナンスを行なう場合にも、より少ない手間で各部材を分解できる。
【００２２】
連動ユニットを、一対のプーリーホルダー３Ｂ・３Ｂでガイドレール１の内部に吊り下げ支持すると、各戸パネルＰ１・Ｐ２・Ｐ３の上端をガイドレール１の下端面に近接させて両者間の隙間を小さくできる。したがって、先の隙間から音や光が漏れるのをよく防止できる。
【００２３】
ランナー本体３Ａおよびプーリーホルダー３Ｂのそれぞれに前後一対のローラー２５・３５を設け、連結状態において両者３Ａ・３Ｂが協同して戸パネルＰ２の重量を支持するランナー３によれば、各ランナー３ごとに４個のローラー２５・３５で戸パネルＰ２を支持できる。したがって、戸パネルＰ２の重量が大きい場合でも、単一構造のランナー２と同様に、ランナー３をガイドレール１に沿って軽快に転動させて、戸パネルＰ２の開閉を円滑に行なえる。
【００２４】
上ガイド溝５６と、その下部の設けた連動溝５７と、連動溝５７の少なくとも前後いずれか一方に設けた下ガイド溝５８とでガイドレール１を構成すると、各ランナー２・３はもちろん、連動ユニットの主要部材となるプーリー４０および伝動体４１を連動溝５７に収容できる。このように、連動ユニットを、一対のプーリーホルダー３Ｂ・３Ｂで支持して、連動溝５７の内部に吊り下げ支持すると、各戸パネルＰ１・Ｐ２・Ｐ３の上端をガイドレール１の下端面に近接させて両者間の隙間を小さくできる。したがって、先の隙間から音や光が漏れるのをよく防止できる。また、各ランナー２・３、および連動ユニットの全体をガイドレール１の内部に収容できるので、外観上の体裁を向上できる。
【００２５】
ランナー本体３Ａとプーリーホルダー３Ｂの連結構造に関して、たとえばランナー本体３Ａに設けた連結凹部６２をプーリーホルダー３Ｂへ向かって突出しておくと、他に先行して連結突起６１と連結凹部６２を係合させて、ランナー本体３Ａとプーリーホルダー３Ｂを連結できる。したがって、連結突起６１と連結凹部６２の連結操作と、ランナー本体３Ａの連結部２１に対する嵌め込み操作とを個別に行なえるうえ、ランナー本体３Ａをプーリーホルダー３Ｂで位置決めした状態で連結部２１に組むことができる。したがって、ランナー本体３Ａと連動ユニットの連結、およびランナー本体３Ａに対する戸パネルＰ２の吊り込みを的確にしかも簡便に行なえる。
【００２６】
連結枠部５１と、受動部５２と、これら両者を繋ぐベース部５３とで連結具４３を構成し、ベース部５３をガイドレール１と戸パネルＰ１・Ｐ２・Ｐ３の隙間に配置すると、連結具４３の構造が複雑になるのを避けながら、ランナー２と伝動体４１を連結できる。ランナー２と伝動体４１を連結するには、連動溝５７と同溝に隣接する下ガイド溝５８とを跨ぐ必要があるが、先の隙間を利用してベース部５３を配置することにより、連結具４３の構造を簡素化できるからである。
【００２７】
連結アーム部５４の左右に、右勝手用の係合溝５５Ｒと左勝手用の係合溝５５Ｌとを設ける連結具４３によれば、ランナー軸１３を各係合溝５５Ｒ・５５Ｌのどちらに係合するかで、左右の勝手違いに対応できる。したがって、右勝手の引き戸構造と、左勝手の引き戸構造に対し連動ユニットを共通して使用することができ、その分だけ連動引戸のコストを削減できる。
【００２８】
連結具４３のベース部５３に、ランナー軸１３と係脱できる連結溝６７を設けると、戸パネルＰ１・Ｐ３の急開閉等による過剰な外力が作用するとき、ランナー軸１３と連結溝６７との連結状態を解除して、連結具４３や連動ユニットの破損等を避けることができる。また、ランナー軸１３と連結溝６７との連結状態を解除することにより、過剰な外力が受動部５２やワイヤーロープ４１に作用するのを阻止して、連動ユニットが故障するのを確実に防止できる。
【００２９】
各戸パネルＰ１・Ｐ２・Ｐ３の下端面に振止め溝７を設け、これらの振止め溝７を床面に設けた下ガイド４および戸パネルＰ２に設けた振止めローラー６で振止め支持すると、床面を平坦にしてバリアフリー化できる。因みに戸車型の連動引戸においては、床面にガイドレールを敷設する必要があり、ガイドレールが車椅子で通過する際の障害となるが、こうした不具合を一掃できる。
【図面の簡単な説明】
【００３０】
【図１】本発明に係る連動ユニットの連結構造を示す一部破断正面図である。
【図２】連動引戸の正面図である。
【図３】連動引戸の平面図である。
【図４】単一構造のランナーの戸パネルへの装着構造を示す一部破断正面図である。
【図５】連動引戸の縦断側面図である。
【図６】連動ユニットの一部を破断した平面図である。
【図７】ランナー本体とプーリーホルダーの分解斜視図である。
【図８】ランナー本体とプーリーホルダーを連結した状態の縦断正面図である。
【図９】図８におけるＡ−Ａ線断面図である。
【図１０】図６におけるＢ−Ｂ線断面図である。
【図１１】ランナーおよび連動ユニットの組立手順を示す縦断正面図である。
【図１２】ランナーおよび連動ユニットの組立状態を示す縦断正面図である。
【図１３】戸パネルを全開放した状態の連動引戸の平面図である。
【図１４】別の実施例に係る連結具を右勝手仕様の連動引戸に適用した平面図である。
【図１５】図１４の連結具を左勝手仕様の連動引戸に適用した平面図である。
【図１６】さらに別の実施例に係る連結具を示す平面図である。
【図１７】図１６に係る連結具の分解平面図である。
【図１８】２枚構造の連動引戸を示す平面図である。
【発明を実施するための形態】
【００３１】
（実施例）  図１ないし図１３は本発明に係る吊車型の連動引戸の実施例を示す。本発明における前後、左右、上下とは、図２および図３に示す交差矢印と、各矢印の近傍に表示した前後、左右、上下の文字表示に従うこととする。図２において連動引戸は、開口枠の上枠部分に固定されるガイドレール１と、ガイドレール１に嵌め込んだランナー２・３で引き違い開閉可能に吊持される前、中央、後の戸パネルＰ１・Ｐ２・Ｐ３と、これらの戸パネルＰ１・Ｐ２・Ｐ３を連動開閉する連動ユニットなどで構成する。前後中央の戸パネルＰ２の開閉軌跡に臨む床面の複数個所には、振れ止め用の下ガイド４が設けてあり、この下ガイド４に設けたローラー６で、戸パネルＰ２の下面に設けた振止め溝７を移行案内している（図２参照）。前および後の戸パネルＰ１・Ｐ３の左右には、それぞれ把手５が設けてある。図５に示すように、前後中央の戸パネルＰ２の下部両側の前後面には、それぞれ振止めローラー６がＬ字状のブラケット４ａで回転自在に支持してあり、これらのローラー６は前および後の戸パネルＰ１・Ｐ３に設けた振止め溝７に相対移動自在に係合している。
【００３２】
３枚構造の連動引戸を構成する戸パネルＰ１・Ｐ２・Ｐ３のうち、前および後の戸パネルＰ１・Ｐ３は、単一構造のランナー２で吊持し、前後中央の戸パネルＰ２は分割構造のランナー３で吊持する。図４に示すように、単一構造のランナー２は、左右横長のランナーブロック８と、ランナーブロック８の左右に前後一対ずつ配置される４個のローラー９とローラー軸１０、および前および後の戸パネルＰ１・Ｐ３の側端上隅のホルダー（連結部）１１に嵌め込み装着されるランナー台１２と、ランナー軸１３などで構成する。ホルダー１１はダイキャスト成形品からなる。ランナーブロック８の側端には、後述する連結具４３を固定するための角軸状の連結軸１４が突設してある。
【００３３】
ランナー台１２はプラスチック成形品からなり、その内部にはホルダー１１のロック凹部１５に係脱するロック腕１７と、ロック腕１７をロック解除操作するＬ字状の解除レバー１８と、高さ調整ねじ１９を含む高さ調整機構などが設けてある。ランナー台１２をホルダー１１に嵌め込み装着した状態では、ロック腕１７がホルダー１１のロック凹部１５と係合して、ランナー台１２を分離不能に固定できる。また、解除レバー１８を戸パネルＰ１・Ｐ３の外側方へ傾倒させると、ロック腕１７とロック凹部１５との係合を解除して、ランナー台１２をホルダー１１から抜き出すことができる。さらに、高さ調整ねじ１９を締緩操作することにより、ランナー軸１３に対するランナー台１２の上下位置を変更して、戸パネルＰ１・Ｐ３の高さを調整できる。
【００３４】
図１に示すように、分割構造のランナー３は、戸パネルＰ２の側端上隅のホルダー（連結部）２１に嵌め込み装着されるランナー本体３Ａと、ランナー本体３Ａに対して着脱可能に連結されるプーリーホルダー３Ｂとで構成する。ホルダー２１は、先に説明したホルダー１１と同じ部品からなる。
【００３５】
図１および図７においてランナー本体３Ａは、戸パネルＰ２のホルダー２１に嵌め込み装着されるランナー台２２と、ランナー台２２の上部に設けた横臥Ｌ字状のランナーボディ２３と、これら両者２２・２３を連結するランナー軸２４を備えている。ランナーボディ２３の前後には一対のローラー２５が配置され、ローラー軸２６で回転自在に軸支してある。ランナー台２２は先に説明したランナー台１２と同じ構造であり、その内部にはホルダー２１のロック凹部３０に係脱するロック腕２７と、ロック腕２７をロック解除操作するＬ字状の解除レバー２８と、高さ調整ねじ２９を含む高さ調整機構などが設けてある。図７に示すように、ランナーボディ２３のベース部分には、後述するプーリー４０を収容する凹部３１が形成してあり、その前後中央に後述する連結溝６２が形成してある。
【００３６】
ランナー台２２をホルダー２１に嵌め込み装着した状態では、ロック腕２７がホルダー２１のロック凹部３０と係合して、ランナー台２２を分離不能に固定できる。また、解除レバー２８を戸パネルＰ２の外側方へ傾倒させることにより、ロック腕２７とロック凹部３０との係合を解除して、ランナー台２２をホルダー２１から抜き出すことができる。さらに、高さ調整ねじ２９を締緩操作することにより、ランナー軸２４に対するランナー台２２の上下位置を変更して、戸パネルＰ２の高さを調整できる。
【００３７】
プーリーホルダー３Ｂは、後述するプーリー４０を支持する軸受部３２と、軸受部３２の上部に連続する上支持部３３とを一体に備えたプラスチック成形品からなる。上支持部３３の前後には一対のローラー３５が配置され、ローラー軸３６で回転自在に軸支してある。図１に示すように軸受部３２には、前後および側方へ向かって開口する水平のプーリー溝３７が形成してある。上支持部３３の上部一側には、後述するフレーム４２を組み付けるための締結座３８が設けてある。
【００３８】
図６において連動ユニットは、左右のプーリーホルダー３Ｂで回転自在に支持した一対のプーリー４０と、両プーリー４０・４０に巻回されるワイヤーロープ（伝動体）４１と、左右のプーリーホルダー３Ｂを連結するフレーム４２と、ワイヤーロープ４１の直線移行部分に固定される前後一対の連結具４３などで構成する。
【００３９】
図８および図９に示すように、プーリー４０は、軸受部３２のプーリー溝３７に配置されて、垂直のプーリー軸４４でベアリング４８を介して回転自在に支持してある。ワイヤーロープ４１は、撚り線の外面にポリアミド樹脂をコーティングした２本のロープ本体４５と、各ロープ本体４５の両端にかしめ固定される短軸状の伝動金具４６とで構成する（図６参照）。各伝動金具４６を連結具４３の受動部５２の係合溝に係合することにより、ワイヤーロープ４１の直線移行部分の対称位置に連結具４３を固定できる。フレーム４２は、下向きに開口する断面コ字状のアルミニウム条材からなり、その両端が上支持部３３の締結座３８にピン４７で固定してある。連動ユニットを構成する上記の各部品４０〜４６は、左右のプーリーホルダー３Ｂと一体化してユニット部品化した状態で供給される。
【００４０】
図６および図１０に示すように、連結具４３は、ランナーブロックの連結軸１４に固定される四角枠状の連結枠部５１と、伝動金具４６が係合装着される受動部５２と、これら両者５１・５２を繋ぐベース部５３とを一体に備えたプラスチック成形品からなる。連結枠部５１と連結軸１４とは、連結軸１４にねじ込んだビス５０で固定する。連動ユニットに隣接する戸パネルＰ１・Ｐ３とワイヤーロープ４１とを連結具４３で連結した状態においては、ベース部５３が連動溝５７と下ガイド溝５８との間を跨ぐ状態で、ガイドレール１と戸パネルＰ１〜Ｐ３の上端との間の隙間を前後に横断している（図５参照）。
【００４１】
図５に示すように、ガイドレール１は、ランナー本体３Ａおよびプーリーホルダー３Ｂを移行案内する上ガイド溝５６と、連動ユニットを収容する連動溝５７と、単一構造のランナー２を移行案内する前後一対の下ガイド溝５８を一体に備えたアルミニウム条材からなる。上ガイド溝５６および下ガイド溝５８は、それぞれ断面がＣ字状に形成されて下向きに開口しており、開口面の前後にローラー９・２５・３５を転動案内するレール壁５９が設けてある。連動溝５７は断面がコ字状に形成されて下向きに開口しており、その前後幅が上ガイド溝５６より広幅になる状態で、上ガイド溝５６の下端に連続して設けてある。前後の下ガイド溝５８の下端と連動溝５７の下端とは同一平面内に位置させてある。連動溝５７の前後に下ガイド溝５８を設け、上部中央に上ガイド溝５６を設けたガイドレール１の断面外郭線は凸字状となる。
【００４２】
ランナー本体３Ａのランナーボディ２３と、プーリーホルダー３Ｂの軸受部３２には、互いに係合する連結リブ（連結突起）６１と連結溝６２（連結凹部）とが設けてある。詳しくは、プーリーホルダー３Ｂの軸受部３２の前後面の下部に、左右に長い水平の連結リブ６１を設け、ランナーボディ２３のプーリーホルダー３Ｂとの対向面に、断面がＣ字状の水平の枠体６３を突設し、その内部に連結溝６２を設けている（図７参照）。枠体６３の突出基端から前後に張り出す段部６４は、連結具４３の受動部５２を受け止めて、連結具４３の移動限界を規定するストッパー壁として機能している。
【００４３】
図１１に示すように枠体６３の突端は、プーリーホルダー３Ｂの側へ向かってランナー台２２の側端より寸法Ｌ分だけ外側方へ突出させてある。これは、ランナー本体３Ａを戸パネルＰ２に組み付けるとき、連結リブ６１と連結溝６２とを他に先行して係合させて、ランナー本体３Ａとプーリーホルダー３Ｂを互いに位置決め連結するためである。また、引き続いて行なわれるランナー台２２のホルダー２１への差し込み作業を独立して行なうことにより、戸パネルＰ２の吊り込み作業を簡便にしかも的確に行なえるからである。図１２に示すようにランナー本体３Ａとプーリーホルダー３Ｂを互いに係合連結した状態においては、左右両側のランナー本体３Ａとプーリーホルダー３Ｂの、合計８個のローラー２５・３５が協同して戸パネルＰ２の重量を支持している。したがって、単一構造のランナー２と同様に、戸パネルＰ２の重量が大きい場合であっても問題なく吊持できる。両側端の戸パネルＰ１・Ｐ３を閉じ位置に位置保持するために、ガイドレール１の両側端の内部に単一構造のランナー２を捕捉するキャッチ体が設けてある。キャッチ体は図示省略した。
【００４４】
以上のように構成した連動引戸によれば、前後いずれかの戸パネルＰ１・Ｐ３を開閉するとき、中央の戸パネルＰ２を連動して開閉することができる。図３に示すように、３個の戸パネルＰ１・Ｐ２・Ｐ３が全閉位置にある状態では、前の戸パネルＰ１が左端に位置して、その左端のランナー２がキャッチ体で捕捉されており、同様に後の戸パネルＰ３が右端に位置して、その右端のランナー２がキャッチ体で捕捉されている。
【００４５】
上記の状態から、前の戸パネルＰ１をキャッチ体の弾性爪の弾性力に抗しながら右側へ開き操作すると、前の戸パネルＰ１に同行してワイヤーロープ４１が移動する。このとき後の戸パネルＰ３はキャッチ体で捕捉されているため、閉じ位置を保持し続ける。また、中央の戸パネルＰ２は、ワイヤーロープ４１が回転するのに伴って、前の戸パネルＰ１の移動量の半分の距離だけ開き移動する。以後、この関係を維持しながら、前の戸パネルＰ１と中央の戸パネルＰ２とは開放方向へ移動する。図１３に示すように、前の戸パネルＰ１を完全に開放した状態では、３個の戸パネルＰ１・Ｐ２・Ｐ３は、その左側端が面一になる状態で前後に重なっている。なお、全閉状態において、後の戸パネルＰ３を開放操作した場合にも、後の戸パネルＰ３と中央の戸パネルＰ２とが連動して開口面を開放できるが、３個の戸パネルＰ１・Ｐ２・Ｐ３は、その右側端が面一になる状態で前後に重なる。
【００４６】
全開放した状態から、前の戸パネルＰ１を閉じ操作すると、ワイヤーロープ４１が開放時とは逆向きに移動する。このとき中央の戸パネルＰ２は、前の戸パネルＰ１の移動方向と同じ向きに移動するが、その移動量は前の戸パネルＰ１の移動量の半分の距離となる。したがって、前の戸パネルＰ１が再び図３の全閉位置まで移動したとき、中央の戸パネルＰ２は開口面の中央の閉じ位置へ復帰することになる。
【００４７】
施工時には、ランナー本体３Ａと、連動ユニットが組み付けられたプーリーホルダー３Ｂを上ガイド溝５６に装填し、プーリー４０およびワイヤーロープ４１などを連動溝５７に収容する。このとき、片方のランナー本体３Ａは、図１１に示すようにプーリーホルダー３Ｂと連結しておく。また、単一構造のランナー２は下ガイド溝５８に装填するが、その片方は連結具４３を介してワイヤーロープ４１に予め連結した状態で下ガイド溝５８に装填する。このように各ランナー２・３が装填された状態のガイドレール１を、開口枠の上枠にビスで締結する。
【００４８】
ガイドレール１を締結したのち、中央の戸パネルＰ２を起立して、そのホルダー２１にプーリーホルダー３Ｂと一体化された状態のランナー本体３Ａ（図１１参照）を差し込み装填する。この状態では、図１に示すように、右側のプーリーホルダー３Ｂはフレーム４２で支えられており、しかもローラー３５が上ガイド溝５６で支持されている。したがって、右側のプーリーホルダー３Ｂが遊動することはなく、右側のランナー本体３Ａを右側のプーリーホルダー３Ｂに接近させるだけで、枠体６３に設けた連結溝６２と連結リブ６１とを円滑に係合させることができる。
【００４９】
また、上記の状態のランナー本体３Ａは、ガイドレール１およびプーリーホルダー３Ｂで位置決めされているので、ランナー本体３Ａのランナー台２２をホルダー２１に差し込み装填することにより、戸パネルＰ２を簡単に吊り込むことができる。ランナー本体３Ａをホルダー２１に装着した状態では、ロック腕２７がロック凹部３０に落ち込み係合して、ランナー本体３Ａを分離不能にロック固定する。この状態の連動ユニットは、フレーム４２で固定した左右一対のプーリーホルダー３Ｂで、ガイドレール１の連動溝５７の内部に吊り下げ支持されている。したがって、各戸パネルＰ１・Ｐ２・Ｐ３の上端をガイドレール１の下端面に近接させて両者間の隙間を小さくでき、この隙間から音や光が漏れるのを防止できる。先の隙間は、連結具４３のベース部５３の厚み寸法より僅かに大きくすると足り、この実施例では約４ｍｍとした。
【００５０】
つぎに、たとえば前の戸パネルＰ１を起立して、連結具４３と連結してある右側のランナー２をホルダー１１に差し込んで、戸パネルＰ１の右側をランナー２に吊り込む。さらに左側のランナー２を左側のホルダー１１に差し込んで、戸パネルＰ１の全体を左右のランナー２・２に吊り込む。このとき、連結具４３の位置を中央寄りに位置させておくと、開口枠に邪魔されることもなく戸パネルＰ１を吊り込むことができる。同様にして、後の戸パネルＰ３を起立して、連結具４３と連結してある左側のランナー２をホルダー１１に差し込んで、戸パネルＰ１の左側をランナー２に吊り込む。さらに右側のランナー２を右側のホルダー１１に差し込んで、戸パネルＰ１の全体を左右のランナー２・２に吊り込む。
【００５１】
以上のように、本発明の連動ユニットによれば、片方のランナー本体３Ａをホルダー２１に差し込み装填した時点で連動ユニットを戸パネルＰ２に対して仮り固定できる。また、連結リブ６１と連結溝６２を他に先行して係合させることにより、残るランナー本体３Ａを位置決めした状態でホルダー２１に組むことができる。さらに、連結具４３で位置保持された状態のランナー２をホルダー１１に組むことができ、全体として各戸パネルＰ１・Ｐ２・Ｐ３の吊り込みや、戸パネルＰ２と連動ユニットとの連結などの一連の作業をより少ない手間で簡便に行なうことができる。
【００５２】
ランナー３を構成するプーリーホルダー３Ｂでプーリー４０を軸支し、フレーム４２でプーリー４０の軸間距離を規定するので、プーリー４０を軸支するベース構造を省略でき、しかもワイヤーロープ４１を反転案内するプーリー構造も簡素化できる。したがって、全体として連動ユニットの構造を簡素化してそのコストを削減できる。また、ランナー３を構成するプーリーホルダー３Ｂでプーリー４０を軸支するので、プーリー４０を戸パネルＰ２の側端寄りに配置して、その分だけワイヤーロープ４１の直線移行距離を大きくできる。したがって、全閉状態における各戸パネルＰ１・Ｐ２・Ｐ３の重なり寸法Ｄ（図３参照）を、戸車型の連動引戸における各戸パネルの重なり寸法と同じ寸法にまで小さくでき、全開時の開口寸法を大きくできる。
【００５３】
図１４および図１５は、連結具４３の別の実施例を示す。そこでは、連結具４３をワイヤーロープ４１に固定される受動部５２と、プレス金具からなる連結アーム部５４とで構成し、連結アーム部５４の左右に、右勝手用の係合溝５５Ｒと左勝手用の係合溝５５Ｌとを形成した。係合溝５５Ｒ・５５Ｌは、それぞれ単一構造のランナー２のランナー軸１３と係合し、連結アーム部５４の縦壁７６は受動部５２に締結固定される。この発明では、図１４に示すように、戸パネルＰ１・Ｐ２・Ｐ３が全閉状態にあるとき、前側の戸パネルＰ１と正対する使用者が戸パネルＰ１を右側へ開放操作する場合の引き戸を右勝手仕様の引き戸とする。また、図１５に示すように、戸パネルＰ１・Ｐ２・Ｐ３が全閉状態にあるとき、前側の戸パネルＰ１と正対する使用者が戸パネルＰ１を左側へ開放操作する場合の引き戸を左勝手仕様の引き戸とする。
【００５４】
右勝手仕様の引き戸においては、中央の戸パネルＰ２の前側に設けた連結具４３の右側の係合溝５５Ｒを、単一構造のランナー２のランナー軸１３に係合する。また、中央の戸パネルＰ２の後側に設けた連結具４３の左側の係合溝５５Ｒを単一構造のランナー２のランナー軸１３に係合する。左勝手仕様の引き戸においては、図１５に示すように、中央の戸パネルＰ２の前側に設けた連結具４３の左側の係合溝５５Ｌを、単一構造のランナー２のランナー軸１３に係合する。また、中央の戸パネルＰ２の後側に設けた連結具４３の右側の係合溝５５Ｌを単一構造のランナー２のランナー軸１３に係合する。他は先の実施例と同じであるので、同じ部材に同じ符号を付してその説明を省略する。以下の実施例においても同じとする。
【００５５】
上記のように構成した連結具４３によれば、ランナー軸１３を各係合溝５５Ｒ・５５Ｌのどちらに係合するかで、連動引戸の左右の勝手違いに対応できる。したがって、右勝手の連動引き戸構造と、左勝手の連動引き戸構造に対して連動ユニットを共通して使用することができ、その分だけ連動引戸のコストを削減できる。
【００５６】
図１６および図１７は、連結具４３の別の実施例を示す。そこでは、連結具４３を受動部５２とベース部５３とで構成し、ベース部５３にランナー軸１３に対して係脱できる連結溝６７を設けて、連結具４３に過剰な外力が作用する状態において、ランナー２を連結具４３から分離できるようにした。図１７に示すように、連結溝６７は、ベース部５３の一側端で開口する導入溝６８と、導入溝６８の内奥端に連続して設けられてランナー軸１３と係合する係合溝６９とで構成する。導入溝６８と係合溝６９の隣接部分には、ランナー軸１３が係合溝６９から導入溝６８へ抜け出るのを規制する隘路部７０と、ランナー軸１３を受け止ストッパー部７１を設ける。係合溝６９および隘路部７０で分断された前後一対のベース壁７２は前後方向へ弾性変形でき、この弾性変形によってランナー軸１３が連結溝６７から分離するのを許すことにより、戸パネルＰ１・Ｐ３が乱暴に急開閉されるような場合に、連結具４３が破損するのを防止している。
【００５７】
前の戸パネルＰ１に設けた単一構造のランナー２と連動ユニットを連結する連結具４３は、戸パネルＰ１が開放操作される場合に限って、ランナー軸１３と連結溝６７との連結状態を解除できる。また、後の戸パネルＰ３に設けた単一構造のランナー２と連動ユニットを連結する連結具４３は、全開放された戸パネルＰ３が閉じ操作される場合に限って、ランナー軸１３と連結溝６７との連結状態を解除できる。そのために、前の戸パネルＰ１側の連結具４３の導入溝６８と、後の戸パネルＰ３側の連結具４３の導入溝６８は、それぞれ開口枠の開放端（右端）へ向かって開口させてある。なお、前の戸パネルＰ１に設けたランナー２のランナー軸１３と連結具４３との連結状態が解除された場合には、全ての戸パネルＰ１・Ｐ２・Ｐ３を全開放位置へ手動で移動させて、ランナー軸１３に連結溝６７を再び係合することにより、簡単に連結状態に戻すことができる。後の戸パネルＰ１に設けたランナー２のランナー軸１３と連結具４３との連結状態が解除された場合にも、同様にして連結状態に戻すことができる。
【００５８】
以上のように構成した連動引戸によれば、前または後の戸パネルＰ１・Ｐ２が乱暴に急開閉されるような場合に、ランナー軸１３と連結溝６７との連結状態を解除して、連結具４３が破損するのを防止し、安全性を向上できる。また、ランナー軸１３と連結溝６７との連結状態を解除することにより、許容限度を越える過剰な外力が受動部５２やワイヤーロープ４１に作用するのを阻止して、連動ユニットが故障するのを確実に防止できる。なお、図１６および図１７で説明した連結具４３は、吊車型の連動引戸以外に、戸車型の連動引戸にも適用できる。
【００５９】
図１８は本発明に係る連動引戸を、２枚構造の連動引戸に適用した実施例を示す。そこでは前の戸パネルＰ１と後の戸パネルＰ２とで連動引戸を構成し、後の戸パネルＰ２に連動ユニットを設け、全開放状態において後の戸パネルＰ２の後面を覆う戸袋壁７６にストッパー７７を設けるようにした。ストッパー７７は、全閉じ状態において後の戸パネルＰ２のランナー３を受止めて、それ以上戸パネルＰ２が閉じ位置側へ移動するのを規制する。この場合の連結具４３は、図６で説明した連結具と、図１４で説明した連結具と、図１７で説明した連結具のいずれであってもよい。なお、２枚構造の連動引戸においては、連動溝５７の前後いずれか一方に下ガイド溝５８を設けて、ガイドレール１の断面をＬ字状に形成することができる。
【００６０】
上記の実施例以外に、ワイヤーロープ４１としては、ワイヤーロープ以外にゴムベルトや金属ベルト、あるいはタイミングベルトなどを適用することができる。ホルダー１１・２１は、戸パネルＰ１・Ｐ２・Ｐ３の前面の上隅部、あるいは後面の上隅部に埋設することができる。連結突起６１をプーリーホルダー３Ｂの側に設け、連結凹部６２をランナー本体３Ａの側に設けることができる。ランナー本体３Ａとプーリーホルダー３Ｂとが、プーリー軸４４の周面を半分ずつ軸支することができる。直径が小さな前後一対のプーリー４０で、ワイヤーロープ４１を反転案内することができる。  
【符号の説明】
【００６１】
１  ガイドレール
２  単一構造のランナー
３  分割構造のランナー
３Ａ  ランナー本体
３Ｂ  プーリーホルダー
１１  連結部（ホルダー）
１２  ランナー台
２１  連結部（ホルダー）
２２  ランナー台
３２  軸受部
３３  上支持部
４０  プーリー
４１  伝動体（ワイヤーロープ）
４２  フレーム
４３  連結具
４４  プーリー軸
５６  上ガイド溝
５７  連動溝
５８  下ガイド溝
６１  連結突起（連結リブ）
６２  連結凹部（連結溝）
Ｐ１・Ｐ２・Ｐ３  戸パネル
【図１】
0005670678.tif 000002
【図２】
0005670678.tif 000003
【図３】
0005670678.tif 000004
【図４】
0005670678.tif 000005
【図５】
0005670678.tif 000006
【図６】
0005670678.tif 000007
【図７】
0005670678.tif 000008
【図８】
0005670678.tif 000009
【図９】
0005670678.tif 000010
【図１０】
0005670678.tif 000011
【図１１】
0005670678.tif 000012
【図１２】
0005670678.tif 000013
【図１３】
0005670678.tif 000014
【図１４】
0005670678.tif 000015
【図１５】
0005670678.tif 000016
【図１６】
0005670678.tif 000017
【図１７】
0005670678.tif 000018
【図１８】
0005670678.tif 000019